(57)【要約】【課題】ＣＡＤシステム等により作成された計装図の図面データをもとに、計装機器に関する管理点データを生成する作業を支援する管理点データ生成システム及び管理点データ生成方法を提供する。【解決手段】管理点データ生成システム１は、計装図データに含まれる描画オブジェクトと管理点データに含まれる管理点レコードとの対応関係が記述された描画オブジェクト属性データ１７５を記憶する事例データベース１７を有する。また、ＣＰＵ１０において管理点データ生成プログラム１４１が実行されることにより、描画オブジェクト属性データ１７５を参照して、現在案件の計装図データ１４２に含まれる描画オブジェクトに対応する１又は複数の管理点レコードを決定し、決定された管理点レコードを含む現在案件の管理点データ１４３を生成する。【選択図】図１
2008192009.tif 000002
【特許請求の範囲】
【請求項１】
計装図データに含まれる描画オブジェクトと管理点データに含まれる管理点レコードとの対応関係が記述された描画オブジェクト属性データを記憶する属性データ記憶部と、
現在案件の計装図データを記憶するための計装図データ記憶部と、
前記描画オブジェクト属性データを参照して、前記現在案件の計装図データに含まれる描画オブジェクトに対応する１又は複数の管理点レコードを決定し、決定された管理点レコードを含む現在案件の管理点データを生成する管理点データ生成手段と、
を備える管理点データ生成システム。
【請求項２】
前記管理点データ生成手段は、前記現在案件の計装図データに対する修正要求に応じて前記現在案件の計装図データに対する描画オブジェクトの追加、削除又は変更を行うとともに、前記描画オブジェクト属性データに基づいて、前記現在案件の管理点データに対する管理点レコードの追加、削除又は変更を前記現在案件の計装図データに対する描画オブジェクトの追加、削除又は変更に付随して行う、請求項１に記載の管理点データ生成システム。
【請求項３】
複数の過去案件に関する計装図データ及び管理点データを格納する事例データベースと、
現在案件に関する計装図データ及び管理点データを記憶するための記憶部と、
キーワード入力を受け付ける入力受け付け手段と、
前記キーワードを用いて前記事例データベースを検索する検索手段と、
前記キーワードに合致する１又は複数の候補過去案件から類似過去案件を選択する操作を受け付ける選択受け付け手段と、
前記事例データベースから、前記類似過去案件の計装図データ及び管理点データを取得して前記記憶部に格納する取得手段と、
前記記憶部に格納された計装図データに対する修正要求に応じて、前記記憶部に格納された計装図データに対する描画オブジェクトの追加、削除又は変更を行うとともに、前記類似過去案件の計装図データに含まれる描画オブジェクトと前記類似過去案件の管理点データに含まれる管理点レコードとの対応関係情報に基づき、前記記憶部に格納された管理点データに対する管理点レコードの追加、削除又は変更を前記描画オブジェクトの追加、削除又は変更に付随して行う修正手段と、
を備える管理点データ生成システム。
【請求項４】
前記１又は複数の候補過去案件の計装図のサムネイル画像を表示装置に表示させる表示制御手段をさらに備える、請求項３に記載の管理点データ生成システム。
【請求項５】
前記キーワードに合致する１又は複数の候補過去案件の優先順位を評価し、優先順位の高い候補過去案件を優先的に表示装置に表示させる表示制御手段をさらに備える、請求項３に記載の管理点データ生成システム。
【請求項６】
前記検索手段は、前記キーワードとの不完全一致により前記キーワードとの合致と判定するあいまい検索を行う、請求項３に記載の管理点データ生成システム。
【請求項７】
前記１又は複数の候補過去案件についての制御性に関するシミュレーションを実行するシミュレーション手段をさらに備える、請求項３乃至６のいずれかに記載の管理点データ生成システム。
【請求項８】
コンピュータにより実行される、計装機器に関する管理点データを生成する方法であって、
前記コンピュータが、計装図データに含まれる描画オブジェクトと管理点データに含まれる管理点レコードとの対応関係が記述された描画オブジェクト属性データすることにより、現在案件の計装図データに含まれる描画オブジェクトに対応する１又は複数の管理点レコードを決定し、
前記コンピュータが、決定された管理点レコードを含む現在案件の管理点データを生成する、管理点データ生成方法。
【請求項９】
前記コンピュータが、前記現在案件の計装図データに対する修正要求に応じて前記現在案件の計装図データに対する描画オブジェクトの追加、削除又は変更を行うとともに、前記描画オブジェクト属性データに基づいて、前記現在案件の管理点データに対する管理点レコードの追加、削除又は変更を前記現在案件の計装図データに対する描画オブジェクトの追加、削除又は変更に付随して行う、請求項８に記載の管理点データ生成方法。
【請求項１０】
コンピュータにより実行される、計装機器に関する管理点データを生成する方法であって、
前記コンピュータが、キーワードの入力を受け付け、
前記コンピュータが、複数の過去案件に関する計装図データ及び管理点データを格納する事例データベースを、前記キーワードを用いて検索し、
前記コンピュータが、前記キーワードに合致する１又は複数の過去案件から類似過去案件を選択する入力操作を受け付け、
前記コンピュータが、前記事例データベースから、前記類似過去案件の計装図データ及び管理点データを取得して前記コンピュータがアクセス可能な記憶部に格納し、
前記コンピュータが、前記記憶部に格納された計装図データに対する修正要求に応じて前記記憶部に格納された計装図データに対する描画オブジェクトの追加、削除又は変更を行うとともに、前記類似過去案件の計装図データに含まれる描画オブジェクトと前記類似過去案件の管理点データに含まれる管理点レコードとの対応関係情報に基づき、前記記憶部に格納された管理点データに対する管理点レコードの追加、削除又は変更を前記描画オブジェクトの追加、削除又は変更に付随して行う、管理点データ生成方法。
【請求項１１】
前記類似過去案件を選択する入力操作を促すために、前記１又は複数の候補過去案件の計装図のサムネイル画像を表示装置に表示させる、請求項１０に記載の管理点データ生成方法。
【請求項１２】
前記類似過去案件を選択する入力操作を促すために、前記１又は複数の候補過去案件の優先順位を評価し、優先順位の高い候補過去案件を優先的に表示装置に表示させる、請求項１０に記載の管理点データ生成方法。
【発明の詳細な説明】
【技術分野】
【０００１】
本発明は、計装図データをもとに計装機器に関する管理点データを生成する作業を支援するための管理点データ生成システム及び管理点データ生成方法に関する。
【背景技術】
【０００２】
通常、ビル、工場及びプラント等の建築物の制御設備に関する計装図は、ＣＡＤ（Computer Aided Design）システムによって作成される。そして、現実の制御設備において、このようにして作成された計装図に従った制御を実行するためには、制御設備に対する自動制御を担う中央監視制御装置に対して管理点データを入力する必要がある。ここで、計装図とは、計装機器の配置や接続系統を示す設計図である。また、計装機器とは、制御設備に含まれる各種センサ、各種センサの検出信号に基づいて制御される制御バルブ等の被制御機器、各種センサ及び被制御機器に対する監視又は制御を実行するコントローラ等の総称である。また、管理点とは、計装機器に関する物理的又は論理的な管理項目である。また、管理点データとは、各々の管理点が有する属性値を１つのレコードとして、複数の管理点が有する属性値を記録したデータ集合体である。
【０００３】
ＣＡＤシステム等によって作成される計装図の図面データ（以下、計装図データと呼ぶ）の一例を図６に示す。図６の計装図データ６０は、ビル空調に関する計装機器を示す計装図であり、温度計（図中の給気温度計ＴＥＤ１１及び還気温度計ＴＥＤ１２）、ファン（図中のＦＡＮ）、コイル（図中の冷却コイルＣＣ、加熱コイルＨＣ）、バルブ（図中の冷水バルブＭＶ１１、温水バルブＭＶ１２）、ダンパ（図中の外気ダンパＭＤＦ）等の計装機器の配置及び接続系統が記述されている。また、図６の計装図データ６０には、制御項目や機器表などが、設計者の設計意図を示す情報として記述されている。
【０００４】
次に、管理点データの一例を図７に示す。図７の管理点データ７０は、図６の計装図データ６０に対応して、ビル空調の自動制御に関する管理点を示しており、管理点を識別するための属性（図中の「設備系統」、「ポイント名」、「ポイントタイプ」、「ＩＤ」など）及び管理点の具体的な管理内容を示す属性（図中の「単位／状態記号」、「データ範囲」、「信号種別」など）を保持している。
【０００５】
従来、計装図をもとに管理点データを作成する場合は、ＣＡＤシステム等により生成されたＤＸＦファイル形式等の計装図データを元に、オペレータが画面表示された計装図やハードコピーされた計装図を目視し、計装図に記述された設計者の設計意図や制御思想を考慮しながら、パーソナルコンピュータ（ＰＣ）及び表計算ソフトウェア又は専用ソフトウェア等を用いて入力作業を行うことによって管理点データを作成する。このような人の手作業への依存度が高い方法は、オペレータに高度な知識が要求され、設備規模が大きい場合に多くの作業時間が必要になるという問題がある。また、設計変更が発生した場合には、計装図の変更内容を管理点データに反映させる必要があるが、入力漏れや誤入力によって計装図と管理点データとの間に不一致が生じ易いという問題がある。
【０００６】
なお、ＣＡＤシステムによって作成された計装図などの図面データから文字情報を抽出する技術は従来から知られている。例えば、特許文献１には、ＣＡＤの図面データからコメント文字情報の抽出を行う装置が開示されている。当該装置は、予め文字情報を抽出する抽出領域を座標指定しておき、ＣＡＤの図面データから当該抽出領域に位置するコメント文字情報の抽出を行うものである。しかしながら、特許文献１には、ＣＡＤシステムによって作成された計装図データをもとに管理点データを生成する作業を支援する技術は開示されていない。
【特許文献１】特開平６−１６８２８６号公報
【発明の開示】
【発明が解決しようとする課題】
【０００７】
本発明は上述した事情を考慮してなされたものであり、本発明の目的は、ＣＡＤシステム等により作成された計装図の図面データをもとに、計装機器に関する管理点データを生成する作業を支援する管理点データ生成システム及び管理点データ生成方法を提供することである。
【課題を解決するための手段】
【０００８】
本発明の第１の態様にかかる管理点データ生成システムは、計装図データに含まれる描画オブジェクトと管理点データに含まれる管理点レコードとの対応関係が記述された描画オブジェクト属性データを記憶する属性データ記憶部と、前記描画オブジェクト属性データを参照して、現在案件の計装図データに含まれる描画オブジェクトに対応する１又は複数の管理点レコードを決定し、決定された管理点レコードを含む現在案件の管理点データを生成する管理点データ生成手段とを有する。
【０００９】
このような構成により、現在案件の計装図デーをもとに管理点データを手作業で入力する必要がなく、現在案件の計装図デーをもとに管理点データを容易に作成することができる。
【００１０】
また、上述した本発明の第１の態様にかかる管理点データ生成システムにおいて、前記管理点データ生成手段は、前記現在案件の計装図データに対する修正要求に応じて、前記現在案件の計装図データに対する描画オブジェクトの追加、削除又は変更を行うとともに、前記描画オブジェクト属性データに基づいて、前記現在案件の管理点データに対する管理点レコードの追加、削除又は変更を前記現在案件の計装図データに対する描画オブジェクトの追加、削除又は変更に付随して行うよう構成してもよい。これにより、設計変更によって現在案件の計装図データに変更があっても、この変更を管理点データに正確に反映できる。このため、管理点データへの変更内容の入力漏れや誤入力によって現在案件の計装図データと管理点データとの間に不一致が生じることを抑制できる。
【００１１】
本発明の第２の態様にかかる管理点データ生成システムは、事例データベース、記憶部、入力受け付け手段、検索手段、選択受け付け手段、取得手段、及び修正手段を有する。前記事例データベースは、複数の過去案件に関する計装図データ及び管理点データを格納する。前記記憶部は、現在案件に関する計装図データ及び管理点データを記憶可能である。前記入力受け付け手段は、キーワード入力を受け付ける。前記検索手段は、前記キーワードを用いて前記事例データベースを検索する。前記選択受け付け手段は、前記キーワードに合致する１又は複数の候補過去案件から類似過去案件を選択する操作を受け付ける。前記取得手段は、前記事例データベースから、前記類似過去案件の計装図データ及び管理点データを取得して前記記憶部に格納する。前記修正手段は、前記記憶部に格納された計装図データに対する修正要求に応じて、前記記憶部に格納された計装図データに対する描画オブジェクトの追加、削除又は変更を行うとともに、前記類似過去案件の計装図データに含まれる描画オブジェクトと前記類似過去案件の管理点データに含まれる管理点レコードとの対応関係情報に基づき、前記記憶部に格納された管理点データに対する管理点レコードの追加、削除又は変更を前記描画オブジェクトの追加、削除又は変更に付随して行う。
【００１２】
このように本発明の第２の態様にかかる管理点データ生成システムは、過去案件の計装図データ及び管理点データを流用して現在案件に関する計装図データ及び管理点データを作成する。このため、オペレータは現在案件に関する計装図データ及び管理点データの作成を最初から行う必要がなく、計装図データ及び管理点データを効率的に作成できる。
【００１３】
また、上述した本発明の第２の態様にかかる管理点データ生成システムは、前記１又は複数の候補過去案件の計装図のサムネイル画像を表示装置に表示させる表示制御手段をさらに備えてもよい。これにより、使用される計装機器や接続系統の類似、制御内容の類似の目視による判定が容易になるため、オペレータの迅速かつ的確な判断を支援することができる。
【００１４】
また、上述した本発明の第２の態様にかかる管理点データ生成システムは、前記キーワードに合致する１又は複数の候補過去案件の優先順位を評価し、優先順位の高い候補過去案件を優先的に表示装置に表示させる表示制御手段をさらに備えてもよい。これにより、類似案件である可能性が高い候補過去案件をオペレータに的確に通知することができる。
【００１５】
また、上述した本発明の第２の態様にかかる管理点データ生成システムにおいて、前記検索手段は、前記キーワードとの不完全一致により前記キーワードとの合致と判定するあいまい検索を行ってもよい。これにより、文字列表現のあいまいさに起因する検索精度の低下を防ぎ、検索キーワードを変更して何度も検索を繰り返すといったオペレータの手間を軽減できる。
【００１６】
また、上述した本発明の第２の態様にかかる管理点データ生成システムは、前記１又は複数の候補過去案件についての制御性に関するシミュレーションを実行するシミュレーション手段をさらに有してもよい。これにより、オペレータによる適切な類似案件の選択を支援することができる。
【００１７】
本発明の第３の態様にかかる方法は、コンピュータにより実行され、計装機器に関する管理点データを生成する方法であって、前記コンピュータが、計装図データに含まれる描画オブジェクトと管理点データに含まれる管理点レコードとの対応関係が記述された描画オブジェクト属性データを参照して、現在案件の計装図データに含まれる描画オブジェクトに対応する１又は複数の管理点レコードを決定し、前記コンピュータが、決定された管理点レコードを含む現在案件の管理点データを生成することを特徴とする。
【００１８】
本発明の第４の態様にかかる方法は、コンピュータにより実行され、計装機器に関する管理点データを生成する方法である。具体的には、前記コンピュータが、キーワードの入力を受け付け、前記コンピュータが、複数の過去案件に関する計装図データ及び管理点データを格納する事例データベースを、前記キーワードを用いて検索し、前記コンピュータが、前記キーワードに合致する１又は複数の過去案件情報から類似過去案件を選択する入力操作を受け付け、前記コンピュータが、前記事例データベースから、前記類似過去案件の計装図データ及び管理点データを取得して前記コンピュータがアクセス可能な記憶部に格納し、前記コンピュータが、前記記憶部に格納された計装図データに対する修正要求に応じて前記記憶部に格納された計装図データに対する描画オブジェクトの追加、削除又は変更を行うとともに、前記類似過去案件の計装図データに含まれる描画オブジェクトと前記類似過去案件の管理点データに含まれる管理点レコードとの対応関係情報に基づき、前記記憶部に格納された管理点データに対する管理点レコードの追加、削除又は変更を前記描画オブジェクトの追加、削除又は変更に付随して行う。
管理点データ生成方法。
【発明の効果】
【００１９】
本発明により、ＣＡＤシステム等により作成された計装図の図面データをもとに、計装機器に関する管理点データを生成する作業を支援する管理点データ生成システム及び管理点データ生成方法を提供
を提供できる。
【発明を実施するための最良の形態】
【００２０】
以下では、本発明を適用した具体的な実施の形態について、図面を参照しながら詳細に説明する。各図面において、同一要素には同一の符号が付されており、説明の明確化のため、必要に応じて重複説明は省略する。
【００２１】
発明の実施の形態１．
本実施の形態にかかる管理点データ生成システム１の構成を図１に示す。本実施の形態にかかる管理点データ生成システム１は、典型的なコンピュータシステム１００を用いて構成されている。図１において、ＣＰＵ（Central Processing Unit）１０は、ＲＯＭ（Read Only Memory）１１又は不揮発性記憶装置１４に格納されたオペレーションシステム及び管理点データ生成のためのアプリケーションソフトウェア（管理点データ生成プログラム）１４１を実行することにより、管理点データ生成システム１に関する各種処理を実行する。
【００２２】
入力装置１３は、オペレータによる入力を受け付ける装置である。図１のコンピュータシステム１００は、入力装置１３としてマウス１３１及びキーボード１３２を有しているが、入力装置１３の種別は、こられ２つに限られないことはもちろんである。例えば、入力装置１３はペンタブレット等でもよい。
【００２３】
不揮発性記憶装置１４は、管理点データ生成プログラム１４１を格納する。また、後述する処理手順により生成される現在案件に関する計装図データ１４２及び管理点データ１４３が不揮発性記憶装置１４に格納される。不揮発性記憶装置１４には、ハードディスクドライブ、光磁気ディスクドライブ、フラッシュメモリ等が利用可能である。また、不揮発性記憶装置１４は、他の構成と共に単一のコンピュータ内に設けた記憶装置としてもよいが、例えば、物理的に離隔したネットワーク・ストレージとして構成してもよく、複数のハードディスク装置やフラッシュメモリを組み合わせて構成してもよい。
【００２４】
管理点データ生成プログラム１４１は、コンピュータシステム１００に本発明にかかる管理点データ生成方法を実行させるためのプログラムであり、ＲＡＭ１２又はＣＰＵ１０が備える内部メモリ（不図示）上に読み出され、ＣＰＵ１０により実行される。ＣＰＵ１０が管理点データ生成プログラム１４１に従って動作することによって、図１のコンピュータシステム１００が本実施の形態にかかる管理点データ生成システム１として動作することができる。なお、管理点データ生成プログラム１４１は、必ずしも不揮発性記憶装置１４に格納される必要はなく、例えば、遠隔に設けられた記憶装置から通信網を介して入力されてもよい。
【００２５】
表示装置１５は、ＣＰＵ１０による演算結果やオペレータに対して入力装置１３による入力を促すための表示画面などを表示する。表示装置１５は、例えば、ＣＲＴディスプレイ、液晶ディスプレイ等が利用可能である。
【００２６】
通信インタフェース１６は、図1に示すコンピュータシステム１００のデータ入出力インタフェースの１つである。通信インタフェース１６は、ＬＡＮ（Local Area Network）、ＩＥＥＥ１３９４等のネットワークと接続してデータの送受信を行う。
【００２７】
事例データベース１７は、複数の過去案件に関する計装図データ及び管理点データを関連付けて格納するデータベースである。１つの過去案件に関して事例データベース１７に格納されるデータ群の一例を図２に示す。図２の例では、過去案件に関するメタデータ１７１、計装図データ１７２、サムネイル画像データ１７３、管理点データ１７４、及び描画オブジェクト属性データ１７５が１つの過去案件毎に関連付けて事例データベース１７に記憶される。なお、事例データベース１７は、図１に示すようにコンピュータシステム１００の外部に設けられ、外部のデータベースサーバによって管理されるデータベースとして構成してもよい。また、事例データベース１７は、コンピュータシステム１００内に設けてもよい。
【００２８】
図２において、過去案件メタデータ１７１は、過去案件に関する情報を記述したデータである。図２の例では、過去案件のデータベースへの登録日、案件名称、建物規模、平米数、間取り等が記述される。計装図データ１７２は、ＣＡＤシステム等によって作成された過去案件の計装図データである。サムネイル画像データ１７３は、計装図データ１７２によって示される計装図のサムネイル画像であり、例えば、ＪＰＥＧ、ＧＩＦ等の画像データ形式に従って作成される。管理点データ１７４は、計装図データ１７２に対応する過去案件の管理点レコードが記述された管理点データである。
【００２９】
描画オブジェクト属性データ１７５は、計装図データ１７２に含まれる計装機器を示す描画オブジェクトと管理点データ１７４に含まれる管理点レコードとの対応関係を記述するデータである。具体的には、描画オブジェクト属性データ１７５によって、１つの描画オブジェクトに対し、これに関係する1又は複数の管理点が対応付けられる。例えば、図６の計装図データ６０に含まれる給気温度計ＴＥＤ１１の描画オブジェクトに対しては、図７の管理点データ７０に含まれるポイント名称が「ＡＨＵ−１−５  給気温度」である管理点が対応付けられる。また、図６の計装図データ６０に含まれる冷水バルブＭＶ１１の描画オブジェクトに対しては、図７の管理点データ７０に含まれるポイント名称が「ＡＨＵ−１−５  冷水弁」の管理点が対応付けられる。
【００３０】
次に、管理点データ生成システム１による現在案件の計装図データ１４２及び管理点データ１４３の生成処理手順を図３のフローチャートを用いて説明する。ステップＳ１０１では、事例データベース１７の検索に用いる検索キーワードの入力画面を表示装置１５に表示し、オペレータによる入力装置１３を用いた検索キーワードの入力を受け付ける。ステップＳ１０２では、入力された検索キーワードを用いて事例データベース１７を検索し、検索キーワードに合致する過去案件を検索する。
【００３１】
表示装置１５に表示される検索キーワード入力画面の一例を図４に示す。図４の画面例４０は、検索キーワードの入力と、その検索キーワードの検索範囲の指定を受け付けるための画面である。例えば、検索キーワードに「エントランスホール系統」を入力し、検索範囲に「案件基礎情報」を指定して検索を実行することにより、過去案件メタデータ１７１に文字列「エントランスホール系統」が含まれている過去案件が事例データベース１７から抽出される。また、検索キーワードに「給気温度リミット制御」を入力し、検索範囲に「計装図」を指定して検索を実行することにより、計装図データ１７２に含まれる文字列オブジェクト中に文字列「給気温度リミット制御」が含まれている過去案件が事例データベース１７から抽出される。
【００３２】
図３に戻りステップＳ１０３では、検索キーワードに合致するものとして抽出された１又は複数の候補過去案件の情報を表示装置１５に表示し、オペレータに対して１つの案件の選択を促す。表示装置１５に出力される検索結果の表示画面例を図５に示す。図５の画面例５０は、抽出された複数の候補過去案件のサムネイル画像データ１７３を事例データベース１７から取得して一覧表示したものである（図５の画像５０１乃至５０６）。このように計装図のサムネイル画像を表示することによって、現在案件の制御設備に使用される計装機器や接続系統との類似、現在案件の制御設備の制御内容との類似の目視による判定が容易になるため、オペレータの迅速かつ的確な判断を支援することができる。なお、抽出結果をサムネイル画像により表示することは一例であり、サムネイル画像を用いずに抽出された候補過去案件の一覧を表示してもよい。サムネイル画像を候補過去案件の抽出結果の表示に用いない場合は、事例データベース１７にサムネイル画像データ１７３を格納する必要はない。また、サムネイル画像を候補過去案件の抽出結果の表示に用いる場合であっても、事例データベース１７にサムネイル画像データ１７３を格納せずに、検索結果の表示のたびに計装図データ１７２からサムネイル画像を生成してもよい。
【００３３】
ステップＳ１０４では、抽出された１又は複数の候補過去案件から１つの過去案件の選択する操作を受け付ける。ステップＳ１０４で選択された候補過去案件を類似案件と呼ぶ。オペレータにより類似案件の選択が行われた場合は、ステップＳ１０５において、類似案件に関する計装図データ１７２及び管理点データ１７４を事例データベース１７から取得する。取得された類似案件の計装図データ１７２及び管理点データ１７４は、ＣＰＵ１０の作業領域であるＲＡＭ１２に保持される。なお、類似案件の計装図データ１７２及び管理点データ１７４は、現在案件の計装図データ１４２及び管理点データ１４３の初期データとして不揮発性記憶装置１４に格納してもよい。一方、オペレータによる類似案件の選択が行われず、オペレータが再検索を選択した場合は、ステップＳ１０１に戻って検索キーワードの入力受け付けを改めて行う。
【００３４】
ステップＳ１０６では、オペレータによって入力される修正要求、具体的には修正操作に応じて、ＲＡＭ１２又は不揮発性記憶装置１４に格納された計装図データ１４２に対する描画オブジェクトの追加、削除又は変更を行う。さらに、類似案件に選択された過去案件の描画オブジェクト属性データ１７５を参照することによって、修正された描画オブジェクトと管理点データとの対応関係を認識し、ＲＡＭ１２又は不揮発性記憶装置１４に格納された管理点データ１４３に対する管理点レコードの追加、削除又は変更を計装図データ１４２に対する描画オブジェクトの追加、削除又は変更に付随して行う。
【００３５】
ステップＳ１０７では、修正反映後の計装図データ及び管理点データを不揮発性記憶装置１４に格納して、現在案件の計装図データ１４２及び管理点データ１４３の生成処理を終了する。
【００３６】
上述したように、本実施の形態にかかる管理点データ生成システム１は、過去案件の計装図データ及び管理点データを流用して現在案件に関する計装図データ及び管理点データを作成する。このため、オペレータは現在案件に関する計装図データ及び管理点データの作成を最初から行う必要がなく、計装図データ及び管理点データを効率的に作成できる。
【００３７】
さらに、本実施の形態にかかる管理点データ生成システム１は、過去案件の計装図データ１７２に含まれる描画オブジェクトと管理点データ１７４に含まれる管理点との対応関係に基づいて、計装図データ１４２に対する修正に付随して管理点データ１４３の修正を行うこととした。これにより、設計変更によって計装図データ１４２に変更があっても、この変更を管理点データ１４３に正確に反映できる。このため、管理点データ１４３への変更内容の入力漏れや誤入力によって計装図データ１４２と管理点データ１４３との間に不一致が生じることを抑制できる。
【００３８】
なお、上述したステップＳ１０２における事例データベース１７の検索処理では、検索キーワードに完全一致する文字列を含む過去案件だけでなく、検索キーワードに類似する文字列や関連する文字列を含む過去案件を候補過去案件に選択してもよい。このためには、類似語、類義語、関連語を記述する辞書データを不揮発性記憶装置１４やコンピュータシステム１００がアクセス可能なその他の記憶装置に保持しておき、辞書データを用いた検索を行えばよい。また、検索キーワード内に含まれる部分的な文字列との一致判定を行って、事例データベース１７内の文字列と検索キーワードとの類似度を判定し、類似度が所定の閾値を超える過去案件を類似過去案件に選択してもよい。
【００３９】
オペレータが自由な文字列を検索キーワードに指定可能とすると、検索の自由度は向上するものの、文字列表現のあいまいさに起因して的確な検索を実行できない可能性がある。このため、上述したような辞書データを用いた検索や、検索キーワードとの類似度を判定する処理、つまり、検索キーワードとの不完全一致を含むあいまい検索処理を行うことにより、的確な候補過去案件を速やかに検索することができ、検索キーワードを変更して何度も検索を繰り返すといったオペレータの手間を軽減できる。
【００４０】
また、上述したステップＳ１０３において候補過去案件の抽出結果を表示する際には、抽出頻度の高い案件、類似案件に選択される頻度の高い案件などを優先的に表示してもよい。また、複数の候補過去案件のうち、検索頻度の高い過去案件又は類似案件に選択される頻度の高いと一致する又は類似するメタデータを保持している過去案件を優先的に表示してもよい。例えば、以前の検索において類似案件に指定された過去案件の建物規模、平米数、又は間取りなどの情報を集計しておき、類似案件に指定される頻度の高い建物規模、平米数、又は間取りを有する候補過去案件を優先的に表示すればよい。このような優先的な表示は、過去の事例データベース１７の検索履歴を保持しておき、候補過去案件のメタデータ１７１に保持される属性を検索履歴と照合することによって行うことができる。このように、過去の事例データベース１７の検索履歴を反映して候補過去案件の表示を行うことにより、類似案件である可能性が高い候補過去案件をオペレータに的確に通知することができる。
【００４１】
また、描画オブジェクトに優先度を設定しておき、検索キーワードを含む描画オブジェクトの優先度が高い過去案件を優先的に表示してもよい。例えば、図６の計装図において、タイトル文字列６０１の描画オブジェクトに最も高い優先度を与え、以降は、図形部分６０２の描画オブジェクト、制御項目６０３の描画オブジェクト、機器表６０４の描画オブジェクトの順で優先度を下げていくことにより、タイトル文字列６０１の描画オブジェクトに検索キーワードを含む過去案件を最も優先して表示することができる。
【００４２】
また、ステップＳ１０５におけるオペレータによる類似案件の選択を容易にするため、管理点データ生成システム１は、制御性に関するシミュレーション機能を具備してもよい。例えば、エントランスホールの空調設備に関する計装図データ及び管理点データを作成する場合であれば、候補過去案件の計装図データ１７２及び管理点データ１７４を用いて目標温度に対する室内温度の追随性をシミュレーションし、シミュレーション結果をグラフにより表示装置１５に出力すればよい。このように、管理点データ生成システム１が制御設備の制御性に関するシミュレーション機能を備えることにより、オペレータによる適切な類似案件の選択を支援することができる。なお、制御性に関するシミュレーションは、過去案件に基づいて構築された建築物における自動制御の実データを収集しておき、実データを反映して実行するとよい。これにより、シミュレーションの精度を向上させることができる。
【００４３】
さらに、上述した制御性に関するシミュレーションは、制御設備の自動制御を実施するか中央監視制御装置に入力される、制御手順を定義したデータファイル（以下、制御手順定義ファイルと呼ぶ）をオペレータに選択させ、選択された制御手順定義ファイルに基づいて制御設備が動作した場合の制御結果を出力してもよい。これにより、現在案件に関する計装図データ及び管理点データの生成に先立って、又は、これらのデータの生成と同時に、現在案件に関する制御手順定義ファイルを生成できる。
【００４４】
その他の実施の形態．
発明の実施の形態１では、現在案件の計装図データを過去案件の計装図データをもとに作成することとした。しかしながら、管理点データ生成システム１に対して、例えば通信インタフェース１６を介して現在案件の計装図データ１４２を入力するよう構成し、管理点データ生成システム１は、入力された現在案件の計装図データ１４２に含まれる描画オブジェクトに対応する管理点レコードを、事例データベース１７に格納された描画オブジェクト属性データ１７５を参照して決定し、決定された管理点レコードを含む管理点データ１４３を生成してもよい。このような構成によっても、現在案件の計装図データ１４２をもとに管理点データ１４３を容易に作成することができる。
【００４５】
また、発明の実施の形態１にかかる管理点データ生成システム１は、オペレータの選択操作に従って類似案件を選択するよう構成したが、複数の候補過去案件の中から自動的に１つの類似案件を選択するよう構成しても良い。このような類似案件の自動選択は、上述した優先度評価によって最も優先度が高いとされた候補過去案件を選択することにより行うことができる。また、現在案件の計装図データに含まれるべき描画オブジェクト、例えば複数の計装機器の描画オブジェクトの種別を予め指定しておき、これらの予め指定された計装機器の描画オブジェクトを含む候補過去案件を類似案件に選択してもよい。
【００４６】
さらに、本発明は上述した実施の形態のみに限定されるものではなく、既に述べた本発明の要旨を逸脱しない範囲において種々の変更が可能であることは勿論である。
【図面の簡単な説明】
【００４７】
【図１】本発明の実施の形態にかかる管理点データ生成システムの構成図である。
【図２】事例データベースに格納されるデータの一例を示す図である。
【図３】本発明の実施の形態にかかる管理点データ生成システムの処理手順を示すフローチャートである。
【図４】検索キーワードの入力画面の一例を示す図である。
【図５】検索結果の表示画面の一例を示す図である。
【図６】計装図データの一例を示す図である。
【図７】管理点データの一例を示す図である。
【符号の説明】
【００４８】
１  管理点データ生成システム
１００  コンピュータシステム
１０  ＣＰＵ（Central Processing Unit）
１１  ＲＯＭ（Read Only Memory）
１２  ＲＡＭ（Random Access Memory）
１３  入力装置
１３１  マウス
１３２  キーボード
１４  不揮発性記憶装置
１４１  管理点データ生成プログラム
１４２  計装図データ
１４３  管理点データ
１５  表示装置
１６  通信インタフェース
１７  事例データベース
１７１  過去案件メタデータ
１７２  計装図データ
１７３  サムネイル画像データ
１７４  管理点データ
１７５  描画オブジェクト属性データ
【図１】
2008192009.tif 000003
【図２】
2008192009.tif 000004
【図３】
2008192009.tif 000005
【図４】
2008192009.tif 000006
【図５】
2008192009.tif 000007
【図６】
2008192009.tif 000008
【図７】
2008192009.tif 000009